(57)【特許請求の範囲】
【請求項１】
ＣＮＧ信号を受信した受信機が、該ＣＮＧ信号の受信レベル値を検出する第１の検出工程と、
前記受信機の検出した受信レベル値をＮＳＦ信号を通じて前記送信機に送信する送信工程と、
前記送信機が、前記送信工程により送信された前記受信機の受信レベル値を検出する第２の検出工程と、
前記送信機に予め設定された目標受信レベル値と、前記受信機の受信レベル値と、を比較する第１の比較工程と、
前記第１の比較工程による比較の結果、前記受信機の受信レベル値が、前記受信レベルが低い場合の目標受信レベル値以下の場合は、該２つの受信レベル値の差分を求め、前記送信機の送信レベル値に該差分を加えた値を算出する第１の算出工程と、
前記第１の算出工程により算出された値と、前記送信機の最大送信レベル値と、を比較する第２の比較工程と、を有し、
前記送信機は、前記第２の比較工程による比較の結果、前記送信機の送信レベル値を変更することを特徴とする送信レベル値制御方法。
【請求項２】
前記送信機は、前記第２の比較工程による比較の結果、
前記第１の算出工程により算出された値が、前記送信機の最大送信レベル値を越える場合は、前記送信機の送信レベル値を前記送信機の最大送信レベル値に変更し、
前記第１の算出工程により算出された値が、前記送信機の最大送信レベル値以下の場合は、前記送信機の送信レベル値を前記第１の算出工程により算出された値に変更することを特徴とする請求項１記載の送信レベル値制御方法。
【請求項３】
ＣＮＧ信号を受信した受信機が、該ＣＮＧ信号の受信レベル値を検出する第１の検出工程と、
前記受信機の検出した受信レベル値をＮＳＦ信号を通じて前記送信機に送信する送信工程と、
前記送信機が、前記送信工程により送信された前記受信機の受信レベル値を検出する第２の検出工程と、
前記送信機に予め設定された目標受信レベル値と、前記受信機の受信レベル値と、を比較する第１の比較工程と、
前記第１の比較工程による比較の結果、前記受信機の受信レベル値が、前記受信レベルが高い場合の目標受信レベル値以上の場合は、該２つの受信レベル値の差分を求め、前記送信機の送信レベル値に該差分を減じた値を算出する第１の算出工程と、
前記第１の算出工程により算出された値と、前記送信機の最低送信レベル値と、を比較する第２の比較工程と、を有し、
前記送信機は、前記第２の比較工程による比較の結果、前記送信機の送信レベル値を変更することを特徴とする送信レベル値制御方法。
【請求項４】
前記送信機は、前記第２の比較工程による比較の結果、
前記第１の算出工程により算出された値が、前記送信機の最低送信レベル値未満の場合は、前記送信機の送信レベル値を前記送信機の最低送信レベル値に変更し、
前記第１の算出工程により算出された値が、前記送信機の最低送信レベル値以上の場合は、前記送信機の送信レベル値を前記第１の算出工程により算出された値に変更することを特徴とする請求項３記載の送信レベル値制御方法。
【発明の詳細な説明】
【０００１】
【発明の属する技術分野】
本発明は、受信機の受信レベル値に応じて送信レベルの変更を行う送信レベル値制御方法に関する。
【０００２】
【従来の技術】
送信レベル値に関する従来技術として、特開平７−２１２５６３号に開示されたものがある。
【０００３】
この従来技術は、半二重通信方式と全二重通信方式とに対応した適切な送信レベル値を設定することができる。また、通信相手先が半二重通信方式を行うか全二重通信方式を行うかを示す情報を登録しておくことにより、通信エラーの発生を減らし、良好な通信を行うことができるものである。
【０００４】
【発明が解決しようとする課題】
しかしながら、前記特開平７−２１２５６３号に開示された従来技術においては、半二重通信方式か全二重通信方式かという二者択一的な処理による送信レベルの調整しか行われていなく、また、通信相手先の情報も予め登録されていることが前提となっているという問題点があった。また、送信レベル値は、装置毎に設定することが一般的であるが、受信機側の受信レベル値は、回線による減衰や交信相手先によりまちまちである。さらに交信経路（ＩＳＤＮ等）によってはほとんど減衰しない場合などがあり、送信機側の送信レベル値が高いと逆に信号が歪んでしまう場合があるといった問題点があった。
【０００５】
本発明は、上記の問題点に鑑みてなされたものであり、送信レベル値と受信レベル値のアンバランスによる信号の減衰、歪みを可及的に減少させることを目的とする。
【０００６】
【課題を解決するための手段】
かかる目的を達成するために、本発明は、以下の特徴を有するものである。
本発明にかかる送信レベル値制御方法は、ＣＮＧ信号を受信した受信機が、該ＣＮＧ信号の受信レベル値を検出する第１の検出工程と、受信機の検出した受信レベル値をＮＳＦ信号を通じて前記送信機に送信する送信工程と、送信機が、前記送信工程により送信された前記受信機の受信レベル値を検出する第２の検出工程と、送信機に予め設定された目標受信レベル値と、前記受信機の受信レベル値と、を比較する第１の比較工程と、第１の比較工程による比較の結果、前記受信機の受信レベル値が、前記受信レベルが低い場合の目標受信レベル値以下の場合は、該２つの受信レベル値の差分を求め、前記送信機の送信レベル値に該差分を加えた値を算出する第１の算出工程と、第１の算出工程により算出された値と、前記送信機の最大送信レベル値と、を比較する第２の比較工程と、を有し、送信機は、前記第２の比較工程による比較の結果、前記送信機の送信レベル値を変更することを特徴とするものである。
【０００７】
また、本発明にかかる送信レベル値制御方法において、送信機は、前記第２の比較工程による比較の結果、第１の算出工程により算出された値が、前記送信機の最大送信レベル値を越える場合は、前記送信機の送信レベル値を前記送信機の最大送信レベル値に変更し、第１の算出工程により算出された値が、前記送信機の最大送信レベル値以下の場合は、前記送信機の送信レベル値を前記第１の算出工程により算出された値に変更することを特徴とするものである。
【０００８】
また、本発明にかかる送信レベル値制御方法は、ＣＮＧ信号を受信した受信機が、該ＣＮＧ信号の受信レベル値を検出する第１の検出工程と、受信機の検出した受信レベル値をＮＳＦ信号を通じて前記送信機に送信する送信工程と、送信機が、前記送信工程により送信された前記受信機の受信レベル値を検出する第２の検出工程と、送信機に予め設定された目標受信レベル値と、前記受信機の受信レベル値と、を比較する第１の比較工程と、第１の比較工程による比較の結果、前記受信機の受信レベル値が、前記受信レベルが高い場合の目標受信レベル値以上の場合は、該２つの受信レベル値の差分を求め、前記送信機の送信レベル値に該差分を減じた値を算出する第１の算出工程と、第１の算出工程により算出された値と、前記送信機の最低送信レベル値と、を比較する第２の比較工程と、を有し、送信機は、前記第２の比較工程による比較の結果、前記送信機の送信レベル値を変更することを特徴とするものである。
【０００９】
また、本発明にかかる送信レベル値制御方法において、送信機は、前記第２の比較工程による比較の結果、第１の算出工程により算出された値が、前記送信機の最低送信レベル値未満の場合は、前記送信機の送信レベル値を前記送信機の最低送信レベル値に変更し、第１の算出工程により算出された値が、前記送信機の最低送信レベル値以上の場合は、前記送信機の送信レベル値を前記第１の算出工程により算出された値に変更することを特徴とするものである。
【００１３】
【発明の実施の形態】
以下、添付図面を参照しながら本発明の実施の形態としてのファクシミリ装置を詳細に説明する。
【００１４】
図１は本発明の実施の形態としてのファクシミリ装置のブロック図である。図１によれば、原稿画像を読み取り、画情報を取り出すスキャナ１、画像を記録紙に印刷するプロッタ２、ＭＨ方式等の既知の符号化方式により、送信する画情報の圧縮と、受信した画情報を復号化し、元の画情報への再生を行う符号化復号部３、画情報を変復調して伝送すると共に、伝送制御の為の各種手順信号を伝送するモデム４、電話回線と電話機９が接続され、発着信を行う為の回線制御を行う網制御装置５、装置の動作状態を表示し、オペレータに各種操作を行わせる操作表示部６、上記各部を制御するマイクロコンピュータを有するシステム制御部７、上記各部が相互間で各種制御信号やデータをやり取りする信号ラインであるシステムバス８、電話機９、モデム４から出力されてくる受信レベルから、回線の受信レベルを測定する受信レベル測定部１０から構成されている。
【００１５】
図２は、本発明の実施の形態を示すフローチャートである。ファクシミリ装置（受信機）は、回線からの呼び出し信号（リンギング信号）を受けることにより、受信動作を開始する。呼び出し信号を受け、回線を閉結した後、送信機から送られてくるＣＮＧ（Calling tone) 信号の検出を行う（ステップＳ１０１）。ＣＮＧ信号の機能としては、（１）発呼局が非音声端末であること、（２）装置が送信モードであり、被呼装置の標準能力を示すディジタル識別信号（ＤＩＳ）を受信すれば送信可能な状態であること、（３）装置がオペレータの補助なしに１枚を越える枚数の文書を送ることが可能な場合、送信機が文書と文書の間のディジタル識別信号（ＤＩＳ）を待っている間も送信可能なことを示す機能がある。
【００１６】
ある一定の時間ＣＮＧ信号の検出を行った結果、この時間内にＣＮＧ信号を検出できない場合は（ステップＳ１０１／ＮＯ）、ＩＴＵ−ＴのＴ．３０の勧告に従い、受信動作を行う（ステップＳ１０５）。ＣＮＧ信号を検出した場合は（ステップＳ１０１／ＹＥＳ）、ＣＮＧ信号を受信した際の受信レベル値をモデムから読み出し、受信レベル値を記憶する（ステップＳ１０２）。その後送出する、ＩＴＵ−ＴのＴシリーズ勧告の範囲外にある特定の利用者の要求を識別するＮＳＦ（Non Standard Function ）信号にて記憶した受信レベル値を送信機側に伝える（ステップＳ１０３）。その後、ＤＩＳ信号を送出し（ステップＳ１０４）、ＩＴＵ−ＴのＴ．３０の勧告に従い、受信動作を行う（ステップＳ１０５）。
【００１７】
図３は、本発明の実施の形態を示すフローチャートである。ファクシミリ装置（送信機）は、相手機との交信の際にＣＮＧ信号を送信する（ステップＳ２０１）。その後、相手機からＮＳＦ信号を受信した場合は（ステップＳ２０２／ＹＥＳ）、該ＮＳＦ信号に受信機の受信レベル値情報があるかを確認する（ステップＳ２０６）。受信レベル値情報がある場合は（ステップＳ２０６／ＹＥＳ）、図４に記載した送信レベル切り換え処理を行い（ステップＳ２０７）、ＩＴＵ−ＴのＴ．３０の勧告に従い、送信動作を行う（ステップＳ２０８）。受信レベル値情報がない場合は（ステップＳ２０６／ＮＯ）、ＩＴＵ−ＴのＴ．３０の勧告に従い、送信動作を行う（ステップＳ２０８）。
【００１８】
相手機からＮＳＦ信号を受信しなかった場合は（ステップＳ２０２／ＮＯ）、ＤＩＳ信号を受信するかのチェックを行い（ステップＳ２０３）、ＤＩＳ信号を受信した場合は（ステップＳ２０３／ＹＥＳ）、ＩＴＵ−ＴのＴ．３０の勧告に従い、送信動作を行う（ステップＳ２０８）。ＤＩＳ信号を受信しなかった場合は（ステップＳ２０３／ＮＯ）、ＩＴＵ−ＴのＴ．３０の勧告に従い、一定時間（Ｔ１＝３５±５秒）が経過（ステップＳ２０４）するまでＣＮＧ信号を送信する。タイムオーバーとなると（ステップＳ２０４／ＹＥＳ）、回線を開放する（ステップＳ２０５）。
【００１９】
図４は、本発明の実施の形態における送信レベル値の切り換え処理についてのフローチャートである。ＮＳＦ信号によって伝えられた受信機側の受信レベル値が、予め設定されている受信レベル値が低い場合の目標受信レベル値以下の場合は（ステップＳ３０１／ＹＥＳ）、該目標レベル値との差分を算出し、現在の送信レベル値に該差分を加える。このようにして算出された値が、送信機の最大送信レベル値以下の場合は（ステップＳ３０２／ＮＯ）、現在の送信レベル値を該算出値に変更して信号を送信する（ステップＳ３０４）。該算出値が、送信機の最大送信レベル値を越える場合は（ステップＳ３０２／ＹＥＳ）、現在の送信レベル値を送信機の最大送信レベル値に変更して信号を送信する（ステップＳ３０３）。
【００２０】
ＮＳＦ信号によって伝えられた受信機側の受信レベル値が、予め設定されている受信レベル値が低い場合の目標受信レベル値以下でない場合は（ステップＳ３０１／ＮＯ）、受信レベル値の高い場合の目標受信レベル値と比較する（ステップＳ３０５）。受信機側の受信レベル値が、受信レベル値の高い場合の目標受信レベル値以上の場合は（ステップＳ３０５／ＹＥＳ）、該目標レベル値との差分を算出し、現在の送信レベル値から該差分を減じる。このようにして算出された値が、送信機の最低送出レベル値以上の場合は（ステップＳ３０６／ＮＯ）、現在の送信レベル値を該算出値に変更して信号を送信する（ステップＳ３０８）。該算出値が、送信機の最低送出レベル値未満の場合は（ステップＳ３０６／ＹＥＳ）、現在の送信レベル値を送信機の最低送信レベル値に変更して信号を送信する（ステップＳ３０７）。
【００２１】
ＮＳＦ信号によって伝えられた受信機側の受信レベル値が、予め設定されている受信レベル値が高いまたは低い場合の目標受信レベル値の範囲の間にある場合は（ステップＳ３０５／ＮＯ）、送信レベル値と受信レベル値のアンバランスが小さいため送信レベル値を変更しないで信号を送信する（ステップＳ３０９）。
【００２２】
送信レベル値を変更して送信する信号は、ＤＩＳ信号で識別され標準機能に応答するディジタル設定命令であるＤＣＳ信号、ＮＳＦ信号等に含まれる情報に対するディジタル命令応答であるＮＳＳ信号以降の信号全ての送信レベル値を切り換える。
【００２３】
図４の切り換え処理につき要約すると、受信機の受信レベル値が、目標受信レベル値の範囲を逸脱する場合に、（ステップＳ３０１、３０５）目標受信レベル値の範囲からどのくらい乖離しているかを算出し、原則としてその値分を加減して調節する（ステップＳ３０４、３０９）。しかし、送信レベルの調節の範囲には限界があり、その範囲を越える場合は、送信機の最高または最低送信レベル値で送信することにより、送信レベル値と受信レベル値のアンバランスを可及的に是正している（ステップＳ３０３、３０７）。
【００２４】
図４の切り換え処理の具体例を挙げる。
受信レベル値が低い場合の目標受信レベル値が−３８ｄＢｍ
受信機の受信レベル値が−４０ｄＢｍ
送信機の現在の送信レベル値が−１１ｄＢｍ
送信機の最大送信レベル値が−８ｄＢｍとすると、
送信レベル値は−３８−（−４０）＝２ｄＢｍ上げて、−１１＋２＝−９ｄＢｍとして送信することになる。
【００２５】
また、受信レベル値が低い場合の目標受信レベル値が−３９ｄＢｍ
受信機の受信レベル値が−４３ｄＢｍ
送信機の現在の送信レベル値が−１１ｄＢｍ
送信機の最大送信レベル値が−８ｄＢｍとすると、
送信レベル値は最大送信レベル値の−８ｄＢｍとして送信することになる。
【００２６】
受信レベル値が高い場合の目標受信レベル値が−１６ｄＢｍ
受信機の受信レベル値が−１３ｄＢｍ
送信機の現在の送信レベル値が−１１ｄＢｍ
送信機の最低送信レベル値が−１５ｄＢｍとすると、
送信レベル値は−１６−（−１３）＝−３ｄＢｍ下げて、−１１−３＝−１４ｄＢｍとして送信することになる。
【００２７】
また、受信レベル値が高い場合の目標受信レベル値が−１６ｄＢｍ
受信機の受信レベル値が−１１ｄＢｍ
送信機の現在の送信レベル値が−１１ｄＢｍ
送信機の最低送信レベル値が−１５ｄＢｍとすると、
送信レベル値は最低送信レベル値の−１５ｄＢｍとして送信することになる。
【００２８】
【発明の効果】
以上の説明から明らかなように、本発明によれば、受信機から送信されてくる受信レベル値をもとにして送信レベル値を変更することにより、良好な通信を行うことが可能となる。
【００２９】
また、本発明によれば、目標受信レベル値を高低２つ設定することにより、送信レベル値に対して、受信レベル値が許容できない程度に高いか低い場合に送信レベル値の変更を行う処理のための基準値を提供し、適切な処理の振り分けが可能となる。
【００３０】
また、本発明によれば、受信機の受信レベル値が、受信レベル値が低い場合の目標受信レベル値以下の場合に、その乖離の程度を算出しその分を現在の送信レベル値に加算することにより、適切な送信レベル値への変更が可能となる。また、送信レベル値の変更は、変更幅による限界があるためその限界を越えているかを判断することにより、適切な変更値の選択が可能となる。
【００３１】
また、本発明によれば、受信機の受信レベル値が、受信レベル値が高い場合の目標受信レベル値以上の場合に、その乖離の程度を算出しその分を現在の送信レベル値から減算することにより、適切な送信レベル値への変更が可能となる。また、送信レベル値の変更は、変更幅による限界があるためその限界を越えているかを判断することにより、適切な変更値の選択が可能となる。
【００３２】
また、本発明によれば、受信機の受信レベル値が、２つの目標受信レベル値内にある場合は、送信レベル値を変更しないことにより、変更の必要のない送信レベル値はそのままで送信することが可能となる。
【００３３】
また、本発明によれば、送信レベル値の範囲の上限を越えているかどうかを判断することにより、送信レベル値の変更幅の範囲内において、最適な送信レベル値への変更が可能となる。
【００３４】
また、本発明によれば、送信レベル値の範囲の下限を越えているかどうかを判断することにより、送信レベル値の変更幅の範囲内において、最適な送信レベル値への変更が可能となる。
【図面の簡単な説明】
【図１】本発明の実施の形態におけるファクシミリ装置（送受信機）のブロック図である。
【図２】本発明の実施の形態における受信機側の動作を示すフローチャートである。
【図３】本発明の実施の形態における送信機側の動作を示すフローチャートである。
【図４】本発明の実施の形態における送信レベル値切り換え処理に関する動作を示すフローチャートである。
【符号の説明】
１  スキャナ
２  プロッタ
３  符号化復号部
４  モデム
５  網制御装置
６  操作表示部
７  システム制御部
８  システムバス
９  電話機
１０  受信レベル測定部
【図１】
0003914661.tif 000002
【図２】
0003914661.tif 000003
【図３】
0003914661.tif 000004
【図４】
0003914661.tif 000005